(57)【要約】  本開示のさまざまな態様は、一般的にワイヤレス通信に関する。いくつかの態様では、ユーザ機器（ＵＥ）は、ＵＥの通信に対する制御情報を受信し、制御情報に少なくとも部分的に基づいて、制御情報がスロットベースの制御コンフィギュレーションまたはスロットベースの制御コンフィギュレーションに関係するか否かを決定し、または、通信がスロットベースのデータコンフィギュレーションまたは非スロットベースのデータコンフィギュレーションに関係するか否か決定してもよい。他の多くの態様が提供される。【選択図】図１０
2021503798.tif 000002
【特許請求の範囲】
【請求項１】
ユーザ機器（ＵＥ）によって実行されるワイヤレス通信の方法において、
前記ＵＥの通信に対する制御情報を受信することと、
前記制御情報に少なくとも部分的に基づいて、前記制御情報がスロットベースの制御コンフィギュレーションまたは非スロットベースの制御コンフィギュレーションに関係するか否かを決定すること、
または、
前記通信がスロットベースのデータコンフィギュレーションまたは非スロットベースのデータコンフィギュレーションに関係するか否か決定することとを含む方法。
【請求項２】
前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている請求項１記載の方法。
【請求項３】
前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている請求項１記載の方法。
【請求項４】
前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている請求項１記載の方法。
【請求項５】
前記通信がスロットベースのデータコンフィギュレーションまたは非スロットベースのデータコンフィギュレーションに関係するか否か決定することは、前記制御情報中の明示的な表示に少なくとも部分的に基づいている請求項１記載の方法。
【請求項６】
ワイヤレス通信のためのユーザ機器（ＵＥ）において、
メモリと、
前記メモリと通信可能に結合されている１つ以上のプロセッサとを具備し、
前記メモリと前記１つ以上のプロセッサは、
前記ＵＥの通信に対する制御情報を受信し、
前記制御情報に少なくとも部分的に基づいて、前記制御情報がスロットベースの制御コンフィギュレーションまたは非スロットベースの制御コンフィギュレーションに関係するか否かを決定し、
または、
前記通信がスロットベースのデータコンフィギュレーションまたは非スロットベースのデータコンフィギュレーションに関係するか否か決定するように構成されているＵＥ。
【請求項７】
前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている請求項６記載のＵＥ。
【請求項８】
前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている請求項６記載のＵＥ。
【請求項９】
前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている請求項６記載のＵＥ。
【請求項１０】
前記通信がスロットベースのデータコンフィギュレーションまたは非スロットベースのデータコンフィギュレーションに関係するか否か決定することは、前記制御情報中の明示的な表示に少なくとも部分的に基づいている請求項６記載のＵＥ。
【請求項１１】
ワイヤレス通信のための命令を記憶している非一時的コンピュータ読取可能媒体において、
前記命令は、ユーザ機器（ＵＥ）の１つ以上のプロセッサにより実行されるとき、前記１つ以上のプロセッサに、
前記ＵＥの通信に対する制御情報を受信させ、
前記制御情報に少なくとも部分的に基づいて、前記制御情報がスロットベースの制御コンフィギュレーションまたは非スロットベースの制御コンフィギュレーションに関係するか否かを決定させ、
または、
前記通信がスロットベースのデータコンフィギュレーションまたは非スロットベースのデータコンフィギュレーションに関係するか否か決定させる１つ以上の命令を含む非一時的コンピュータ読取可能媒体。
【請求項１２】
前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている請求項１１記載の非一時的コンピュータ読取可能媒体。
【請求項１３】
前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている請求項１１記載の非一時的コンピュータ読取可能媒体。
【請求項１４】
前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている請求項１１記載の非一時的コンピュータ読取可能媒体。
【請求項１５】
前記通信がスロットベースのデータコンフィギュレーションまたは非スロットベースのデータコンフィギュレーションに関係するか否か決定することは、前記制御情報中の明示的な表示に少なくとも部分的に基づいている請求項１１記載の非一時的コンピュータ読取可能媒体。
【請求項１６】
ワイヤレス通信のための装置において、
前記装置の通信に対する制御情報を受信する手段と、
前記制御情報に少なくとも部分的に基づいて、前記制御情報がスロットベースの制御コンフィギュレーションまたは非スロットベースの制御コンフィギュレーションに関係するか否かを決定する手段、
または、
前記通信がスロットベースのデータコンフィギュレーションまたは非スロットベースのデータコンフィギュレーションに関係するか否か決定する手段とを具備する装置。
【請求項１７】
前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている請求項１６記載の装置。
【請求項１８】
前記通信がスロットベースのデータコンフィギュレーションまたは非スロットベースのデータコンフィギュレーションに関係するか否か決定することは、前記装置の無線リソース制御コンフィギュレーション、制御リソースセットコンフィギュレーション、または、サーチ空間コンフィギュレーションに少なくとも部分的に基づいている請求項１６記載の装置。
【請求項１９】
前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている請求項１６記載の装置。
【請求項２０】
前記通信がスロットベースのデータコンフィギュレーションまたは非スロットベースのデータコンフィギュレーションに関係するか否か決定することは、前記制御情報中の明示的な表示に少なくとも部分的に基づいている請求項１６記載の装置。
【発明の詳細な説明】
【米国特許法第１１９条下での関連出願に対する相互参照】
【０００１】
［０００１］
この出願は、２０１７年１１月１７日に出願され、「５Ｇにおけるスロットベースまたは非スロットベースのスケジューリングのための技法および装置」と題するギリシャ特許出願第２０１７０１００５１９号と、２０１８年１０月２５日に出願され、「５Ｇにおけるスロットベースまたは非スロットベースのスケジューリングのための技法および装置」と題する米国特許出願第１６／１７０，７０５号とに対して優先権を主張し、これらは参照により明示的にここに組み込まれている。
【開示の分野】
【０００２】
［０００２］
本開示の態様は、一般にワイヤレス通信に関し、より詳細には、５Ｇにおけるスロットベースまたは非スロットベースのスケジューリングのための技法および装置に関する。
【背景】
【０００３】
［０００３］
ワイヤレス通信システムは、電話、ビデオ、データ、メッセージング、およびブロードキャストのような、さまざまな電気通信サービスを提供するために広く配備されている。典型的なワイヤレス通信システムは、利用可能なシステムリソース（例えば、帯域幅、送信電力など）を共有することにより、複数のユーザとの通信をサポートすることが可能な多元接続技術を用いるかもしれない。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、時分割同期コード分割多元接続（ＴＤ−ＳＣＤＭＡ）システム、および、ロングタームエボリューション（ＬＴＥ）（登録商標）を含んでいる。ＬＴＥ／ＬＴＥアドバンストは、第３世代パートナーシッププロジェクト（３ＧＰＰ（登録商標））により公表されているユニバーサル移動体電気通信システム（ＵＭＴＳ）移動体標準規格の拡張のセットである。
【０００４】
［０００４］
ワイヤレス通信ネットワークは、多数のユーザ機器（ＵＥ）のための通信をサポートすることができる多数の基地局（ＢＳ）を含んでいるかもしれない。ユーザ機器（ＵＥ）は、ダウンリンクおよびアップリンクを介して、基地局（ＢＳ）と通信してもよい。ダウンリンク（または、順方向リンク）は、ＢＳからＵＥへの通信リンクを指し、アップリンク（または、逆方向リンク）は、ＵＥからＢＳへの通信リンクを指す。ここでより詳細に説明するように、ＢＳは、ノードＢ、ｇＮＢ、アクセスポイント（ＡＰ）、無線ヘッド、送受信ポイント（ＴＲＰ）、新しい無線（ＮＲ）ＢＳ、５ＧノードＢ、および／または、これらに類するものとして呼ばれることがある。
【０００５】
［０００５］
上記の多元接続技術は、異なるユーザ機器が都市、国家、地域、さらには地球規模で通信することを可能にする共通のプロトコルを提供するために、さまざまな電気通信標準規格において用いられてきた。５Ｇとしても呼ばれることもある新しい無線（ＮＲ）は、第３世代パートナーシッププロジェクト（３ＧＰＰ）により公表されたＬＴＥ移動体標準規格に対する拡張のセットである。ＮＲは、アップリンク（ＵＬ）上では（例えば、離散フーリエ変換拡散ＯＦＤＭ（ＤＦＴ−ｓ−ＯＦＤＭ）としても知られている）ＣＰ−ＯＦＤＭおよび／またはＳＣ−ＦＤＭを使用し、アップリンク（ＤＬ）上ではサイクリックプレフィックス（ＣＰ）（ＣＰ−ＯＦＤＭ）を用いる、直交周波数分割多重化（ＯＦＤＭ）を使用して、スペクトル効率を向上させ、コストを低減し、サービスを改善し、新しいスペクトルを使用し、他のオープン標準規格とのより良好な統合を行うことにより、移動体ブロードバンドインターネットアクセスをより良好にサポートするとともに、ビーム形成、多入力多出力（ＭＩＭＯ）アンテナ技術、および、キャリアアグリゲーションをサポートするように設計されている。しかしながら、移動体ブロードバンドアクセスの需要が増加し続けるにつれて、ＬＴＥ技術およびＮＲ技術のさらなる改善の必要性が存在する。好ましくは、これらの改善は、他の多元接続技術およびこれらの技術を用いる電気通信標準規格に適用可能であるべきである。
【概要】
【０００６】
［０００６］
いくつかの態様では、ＵＥにより実行されるワイヤレス通信のための方法は、ＵＥの通信に対する制御情報を受信することと、制御情報に少なくとも部分的に基づいて、制御情報がスロットベースの制御コンフィギュレーションまたは非スロットベースの制御コンフィギュレーションに関係するか否かを決定すること、または、通信がスロットベースのデータコンフィギュレーションまたは非スロットベースのデータコンフィギュレーションに関係するか否かを決定することとを含んでいてもよい。
【０００７】
［０００７］
いくつかの態様では、ワイヤレス通信のためのＵＥが、メモリと１つ以上のプロセッサとを具備し、メモリと１つ以上のプロセッサは、ＵＥの通信に対する制御情報を受信し、制御情報に少なくとも部分的に基づいて、制御情報がスロットベースの制御コンフィギュレーションまたは非スロットベースの制御コンフィギュレーションに関係するか否かを決定し、または、通信がスロットベースのデータコンフィギュレーションまたは非スロットベースのデータコンフィギュレーションに関係するか否か決定するように構成されている。
【０００８】
［０００８］
いくつかの態様では、非一時的コンピュータ読取可能媒体がワイヤレス通信のための１つ以上の命令を記憶していてもよい。１つ以上の命令は、ＵＥの１つ以上のプロセッサにより実行されるとき、１つ以上のプロセッサに、ＵＥの通信に対する制御情報を受信させ、制御情報に少なくとも部分的に基づいて、制御情報がスロットベースの制御コンフィギュレーションまたは非スロットベースの制御コンフィギュレーションに関係するか否かを決定させ、または、通信がスロットベースのデータコンフィギュレーションまたは非スロットベースのデータコンフィギュレーションに関係するか否か決定させる。
【０００９】
［０００９］
いくつかの態様では、ワイヤレス通信のための装置が、装置の通信に対する制御情報を受信する手段と、制御情報に少なくとも部分的に基づいて、制御情報がスロットベースの制御コンフィギュレーションまたは非スロットベースの制御コンフィギュレーションに関係するか否かを決定する手段、または、通信がスロットベースのデータコンフィギュレーションまたは非スロットベースのデータコンフィギュレーションに関係するか否か決定する手段とを含んでいてもよい。
【００１０】
［００１０］
態様は、一般に、添付図面および明細書を参照して実質的にここで説明し、添付図面により図示されているような、方法、装置、システム、コンピュータプログラム製品、非一時的コンピュータ読取可能媒体、ユーザ機器、ワイヤレス通信デバイス、および、処理システムを含んでいる。
【００１１】
［００１１］
先のものは、続く詳細な説明をよりよく理解できるようにするために、開示にしたがって、例の特徴および技術的な利点をむしろ広く概説している。追加の特徴および利点を以下で説明する。開示された概念および特定の例は、本開示の同じ目的を実行するための他の構造を修正または設計するための基礎として容易に利用してもよい。このような均等な構造は、添付の特許請求の範囲から逸脱しない。ここで開示される概念の特徴、それらの編成および動作の方法の両方は、関係する利点とともに、添付の図面に関連して考慮されるとき、以下の説明からよりよく理解されるであろう。図面のそれぞれは、例示および説明のために提供され、特許請求の範囲の限定の定義として提供されているものではない。
【００１２】
［００１２］
本開示の上記で説明した特徴が詳細に理解されるように、上記で簡単に要約したもののより具体的な説明が、態様を参照することにより、なされており、態様のうちのいくつかが添付の図面に示されている。しかしながら、添付の図面は、本開示のある典型的な態様のみを示し、したがって、その範囲を限定するものとみなされるべきではないことに留意されたい。説明は他の等しく有効な態様を認めている。異なる図面の同じ参照番号は同じまたは類似する要素を識別している。
【図面の簡単な説明】
【００１３】
【図１】［００１３］  図１は、本開示のさまざまな態様にしたがう、ワイヤレス通信ネットワークの例を概念的に示すブロック図である。
【図２】［００１４］  図２は、本開示のさまざまな態様にしたがう、ワイヤレス通信ネットワーク中のユーザ機器（ＵＥ）と通信している基地局の例２００を概念的に示すブロック図である。
【図３Ａ】［００１５］  図３Ａは、本開示のさまざまな態様にしたがう、ワイヤレス通信ネットワーク中のフレーム構造の例を概念的に示すブロック図である。
【図３Ｂ】［００１６］  図３Ｂは、本開示のさまざまな態様にしたがう、ワイヤレス通信ネットワーク中の例示的な同期通信階層を概念的に示すブロック図である。
【図４】［００１７］  図４は、本開示のさまざまな態様にしたがう、通常のサイクリックプレフィックスを有する例示的なサブフレームフォーマットを概念的に示すブロック図である。
【図５】［００１８］  図５は、本開示のさまざまな態様にしたがう、分散無線アクセスネットワーク（ＲＡＮ）の例示的な論理アーキテクチャを示す図である。
【図６】［００１９］  図６は、本開示のさまざまな態様にしたがう、分散ＲＡＮの例示的な物理アーキテクチャを示す。
【図７】［００２０］  図７は、本開示のさまざまな態様にしたがう、ダウンリンク（ＤＬ）中心サブフレームの例を示す図である。
【図８】［００２１］  図８は、本開示のさまざまな態様にしたがう、アップリンク（ＵＬ）中心サブフレームの例を示す図である。
【図９Ａ】［００２２］  図９Ａは、本開示のさまざまな態様にしたがう、スロットベースおよび非スロットベースの制御およびデータのコンフィギュレーションの例を示す図である。
【図９Ｂ】図９Ｂは、本開示のさまざまな態様にしたがう、制御情報および／または通信に対するスロットベースおよび非スロットベースの制御およびデータのコンフィギュレーションの例を示す図である。
【図１０】［００２３］  図１０は、本開示のさまざまな態様にしたがう、制御情報および／または通信に対するスロットベースおよび非スロットベースの制御およびデータのコンフィギュレーションの決定の例を示す図である。
【図１１】［００２４］  図１１は、本開示のさまざまな態様にしたがう、例えば、ユーザ機器により実行される例示的なプロセスを示す図である。
【詳細な説明】
【００１４】
［００２５］
新しい無線（ＮＲ）は、スロットベースのスケジューリングおよび非スロットベースのスケジューリングをサポートしていてもよい。スロットベースのスケジューリングは、スロットベースの制御コンフィギュレーションとスロットベースのデータコンフィギュレーションとに関係していてもよく、非スロットベースのスケジューリングは、非スロットベースの制御コンフィギュレーションと非スロットベースのデータコンフィギュレーションとに関係していてもよい。スロットベースの制御コンフィギュレーションでは、ＵＥに対する制御情報は、スロットのＤＬ制御領域中において提供され、一方、非スロットベースの制御コンフィギュレーションでは、制御情報は、ＤＬ制御領域を含む、スロット中のどこにでも提供されていてもよい。スロットベースのデータコンフィギュレーションでは、復調基準信号（ＤＭＲＳ）は、非スロットベースのデータコンフィギュレーションとは異なる位置に配置されていてもよい。上記の理由のために、スロットベースのスケジューリングは、非スロットベースのスケジューリング以外の異なる処理タイムラインに関係しているかもしれない。したがって、ＵＥは、制御情報を処理するための適切なタイムラインを決定するために、許可がスロットベースのスケジューリングまたは非スロットベースのスケジューリングを使用するか否か、通信のＤＭＲＳコンフィギュレーションを決定するために、許可がスロットベースのデータコンフィギュレーションまたは非スロットベースのデータコンフィギュレーションに関係する通信のためのものであるか否かを知る必要があるかもしれない。
【００１５】
［００２６］
ここで説明するいくつかの技法および装置は、制御情報がスロットベースの制御コンフィギュレーションまたは非スロットベースの制御コンフィギュレーションに関係するか否か、および／または、制御情報に関係する通信がスロットベースのデータコンフィギュレーションまたは非スロットベースのデータコンフィギュレーションに関係するか否かの決定を行う。これは、ＵＥが、通信のための基準信号（例えば、復調基準信号（ＤＭＲＳ））がどこに位置されるべきかを決定すること、および／または、制御情報のための処理タイムラインを決定することを可能にしてもよい。このようにして、スロットベースのスケジューリングおよび非スロットベースのスケジューリングの使用が可能になり、スロットベースまたは非スロットベースの制御コンフィギュレーションに関するシグナリングの効率が改善され、それにより、ネットワークリソースの使用を改善することができる。
【００１６】
［００２７］
本開示のさまざまな態様を、添付の図面を参照して以下でより完全に説明する。しかしながら、本開示は、多くの異なる形態で具現化してもよく、本開示を通して提示される任意の特定の構造または機能に限定されるものと解釈すべきではない。むしろ、これらの態様は、本開示が徹底的かつ完全になり、本開示の範囲を当業者に完全に伝えるように、提供されている。本明細書の教示に基づいて、本開示の範囲は、独立して実現されるか、または、本開示の他の態様と組み合わされるにせよ、ここで開示される本開示の任意の態様をカバーすることが意図されていることを、当業者は諒解されたい。例えば、ここに記載の任意の数の態様を使用して、装置を実現してもよく、または、方法を実施してもよい。加えて、この開示の範囲は、ここで説明する開示のさまざまな態様に加えて、あるいは、これ以外の、他の構造、機能性、または、構造および機能性を使用して実施される、このような装置または方法をカバーすることを意図している。ここで開示されている本開示の任意の態様が、請求項の１つ以上の要素により具現化されていてもよいことを理解されたい。
【００１７】
［００２８］
さまざまな装置および技法を参照して、電気通信システムのいくつかの態様を提示する。これらの装置および技法は、以下の詳細な説明において説明され、さまざまなブロック、モジュール、コンポーネント、回路、ステップ、プロセス、アルゴリズムなど（「要素」と総称される）により、添付の図面に例示されている。これらの要素は、ハードウェア、ソフトウェア、または、これらの組み合わせを使用して実現してもよい。このような要素がハードウェアとして実現されるか、ソフトウェアとして実現されるかは、特定のアプリケーションおよびシステム全体に課される設計制約に依存する。
【００１８】
［００２９］
３Ｇおよび／または４Ｇワイヤレス技術に共通で一般的に関係する専門用語を使用して、態様をここで説明するかもしれないが、本開示の態様は、ＮＲ技術を含む、５Ｇおよびそれ以降のもののような、他の世代ベースの通信システムにおいて適用することができることに留意されたい。
【００１９】
［００３０］
図１は、本開示の態様を実施してもよいネットワーク１００を示す図である。ネットワーク１００は、ＬＴＥネットワーク、あるいは、５ＧまたはＮＲネットワークのような他の何らかの無線ネットワークであってもよい。ワイヤレスネットワーク１００は、（ＢＳ１１０ａ、ＢＳ１１０ｂ、ＢＳ１１０ｃ、および、ＢＳ１１０ｄとして示される）多数のＢＳ１１０と、他のネットワークエンティティとを含んでいてもよい。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送受信ポイント（ＴＲＰ）、および／または、これらに類するものとして呼ばれることもある。各ＢＳは、特定の地理的エリアのための通信カバレージを提供してもよい。３ＧＰＰでは、「セル」という用語は、その用語が使用されるコンテキストに依存して、ＢＳのカバレージエリアおよび／またはこのカバレージエリアにサービスするＢＳサブシステムを指すことがある。
【００２０】
［００３１］
ＢＳは、マクロセル、ピコセル、フェムトセル、および／または、別のタイプのセルのための通信カバレージを提供してもよい。マクロセルは、比較的大きい地理的エリア（例えば、半径数キロメートル）をカバーしていてもよく、サービス加入を有するＵＥによる無制限アクセスを可能にしていてもよい。ピコセルは、比較的小さい地理的エリアをカバーしていてもよく、サービス加入を有するＵＥによる無制限アクセスを可能にしていてもよい。フェムトセルは、比較的小さい地理的エリア（例えば、自宅）をカバーしていてもよく、フェムトセルと関係を有するＵＥ（例えば、クローズド加入者グループ（ＣＳＧ）中のＵＥ）による制限付きアクセスを可能にしていてもよい。マクロセルのためのＢＳは、マクロＢＳとして呼ばれることもある。ピコセルのためのＢＳは、ピコＢＳとして呼ばれることもある。フェムトセルのためのＢＳは、フェムトＢＳまたはホームＢＳとして呼ばれることもある。図１に示されている例では、ＢＳ１１０ａはマクロセル１０２ａのためのマクロＢＳであり、ＢＳ１１０ｂはピコセル１０２ｂのためのピコＢＳであり、ＢＳ１１０ｃはフェムトセル１０２ｃのためのフェムトＢＳである。ＢＳは、１つ以上の（例えば、３つの）セルをサポートしていてもよい。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および、「セル」という用語は、ここでは互換的に使用しているかもしれない。
【００２１】
［００３２］
いくつかの例では、セルは、必ずしも静止していないことがあり、セルの地理的エリアは、移動体ＢＳの位置にしたがって移動してもよい。いくつかの例では、ＢＳは、任意の適切なトランスポートネットワークを使用する、直接物理接続、仮想ネットワーク、および／または、これらに類するもののような、さまざまなタイプのバックホールインターフェースを通して、アクセスネットワーク１００中で、互いに、ならびに／あるいは、１つ以上の他のＢＳまたはネットワークノード（図示せず）と、相互接続されていてもよい。
【００２２】
［００３３］
ワイヤレスネットワーク１００はまた、中継局を含んでいてもよい。中継局は、アップストリーム局（例えば、ＢＳまたはＵＥ）からのデータの送信を受信し、データの送信をダウンストリーム局（例えば、ＵＥまたはＢＳ）に送信することができるエンティティである。中継局はまた、他のＵＥのために送信を中継することができるＵＥであってもよい。図１に示す例では、中継局１１０ｄは、ＢＳ１１０ａとＵＥ１２０ｄとの間の通信を容易にするために、マクロＢＳ１１０ａおよびＵＥ１２０ｄと通信していてもよい。中継局は、中継ＢＳ、中継基地局、中継器などとして呼ばれることもある。
【００２３】
［００３４］
ワイヤレスネットワーク１００は、異なるタイプのＢＳ、例えば、マクロＢＳ、ピコＢＳ、フェムトＢＳ、中継ＢＳなどを含む異種ネットワークであってもよい。これらの異なるタイプのＢＳは、ワイヤレスネットワーク１００中で、異なる送信電力レベル、異なるカバレージエリア、および、干渉における異なる影響を有するかもしれない。例えば、マクロＢＳは、高い送信電力レベル（例えば、５〜４０ワット）を有していてもよいが、ピコＢＳ、フェムトＢＳ、および、中継ＢＳは、より低い送信電力レベル（例えば、０．１〜２ワット）を有しているかもしれない。
【００２４】
［００３５］
ネットワーク制御装置１３０は、ＢＳのセットに結合していてもよく、これらのＢＳに対する協同および制御を提供してもよい。ネットワーク制御装置１３０は、バックホールを介して、ＢＳと通信していてもよい。ＢＳはまた、例えば、直接的または間接的に、ワイヤレスバックホールまたはワイヤラインバックホールを介して、互いに通信していてもよい。
【００２５】
［００３６］
ＵＥ１２０（例えば、１２０ａ、１２０ｂ、１２０ｃ）は、ワイヤレスネットワーク１００全体に渡って分散されていてもよく、各ＵＥは、静止していてもまたは移動体であってもよい。ＵＥは、アクセス端末、端末、移動局、加入者ユニット、局などとして呼ばれることもある。ＵＥは、セルラーフォン（例えば、スマートフォン）、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、カメラ、ゲームデバイス、ネットブック、スマートブック、ウルトラブック、医療デバイスまたは機器、バイオメトリックセンサ／デバイス、ウェアラブルデバイス（スマートウォッチ、スマート衣類、スマートグラス、スマートリストバンド、スマートジュエリー（例えば、スマートリング、スマートブレスレット））の、娯楽デバイス（例えば、音楽またはビデオデバイス、または、衛星無線機）、車両コンポーネントまたはセンサ、スマートメータ／センサ、工業製造機器、グローバルポジショニングシステムデバイス、あるいは、ワイヤレス媒体または有線媒体を介して通信するように構成されている他の任意の適切なデバイスであってもよい。
【００２６】
［００３７］
いくつかのＵＥは、マシンタイプ通信（ＭＴＣ）あるいは発展型または拡張型マシンタイプ通信（ｅＭＴＣ）ＵＥと考えてもよい。ＭＴＣおよびｅＭＴＣ  ＵＥは、例えば、基地局、別のデバイス（例えば、遠隔デバイス）、または、他の何らかのエンティティと通信するかもしれない、ロボットと、ドローンと、センサ、メータ、モニタ、位置タグなどのような遠隔デバイスとを含んでいる。ワイヤレスノードは、有線またはワイヤレス通信リンクを介して、例えば、ネットワーク（例えば、インターネットまたはセルラーネットワークのような広域ネットワーク）のための、または、ネットワークへの接続性を提供してもよい。いくつかのＵＥは、モノのインターネット（ＩｏＴ）デバイスと考えてもよく、および／または、ＮＢ−ＩｏＴ（狭帯域のモノのインターネット）デバイスとして実現してもよい。いくつかのＵＥは、顧客宅内機器（ＣＰＥ）と考えてもよい。ＵＥ１２０は、プロセッサコンポーネント、メモリコンポーネント、および／または、これらに類するもののような、ＵＥ１２０のコンポーネントを収容するハウジング内部に含まれていてもよい。
【００２７】
［００３８］
一般に、任意の数のワイヤレスネットワークが、所定の地理的エリアに配備されていてもよい。各ワイヤレスネットワークは、特定のＲＡＴをサポートしていてもよく、１つ以上の周波数上で動作していてもよい。ＲＡＴは、無線技術、エアインターフェースなどとして呼ばれることもある。周波数は、搬送波、周波数チャネルなどとして呼ばれることもある。各周波数は、異なるＲＡＴのワイヤレスネットワーク間の干渉を回避するために、所定の地理的エリアにおいて単一のＲＡＴをサポートしていてもよい。いくつかのケースでは、ＮＲまたは５Ｇ  ＲＡＴネットワークが配備されていてもよい。
【００２８】
［００３９］
いくつかの例では、エアインターフェースへのアクセスがスケジュールされてもよく、スケジューリングエンティティ（例えば、基地局）は、スケジューリングエンティティのサービスエリアまたはセル内のいくつかまたはすべてのデバイスおよび機器の間の通信のためのリソースを割り振る。本開示の範囲内で、以下でさらに論じるように、スケジューリングエンティティは、１つ以上の下位エンティティのために、リソースをスケジューリングし、割り当て、再構成し、解放することを担当していてもよい。すなわち、スケジューリングされた通信のために、下位エンティティは、スケジューリングエンティティにより割り振られるリソースを利用する。スケジューリングは、以下でより詳細に説明するように、スロットベースベースまたは非スロットベースベースで実行してもよい。
【００２９】
［００４０］
基地局は、スケジューリングエンティティとして機能していてもよい唯一のエンティティではない。すなわち、いくつかの例では、ＵＥは、スケジューリングエンティティとして機能してもよく、１つ以上の下位エンティティ（例えば、１つ以上の他のＵＥ）のために、リソースをスケジューリングする。この例では、ＵＥは、スケジューリングエンティティとして機能し、他のＵＥは、ワイヤレス通信のためにＵＥによりスケジュールされるリソースを利用する。ＵＥは、ピアツーピア（Ｐ２Ｐ）ネットワーク中でおよび／またはメッシュネットワーク中でスケジューリングエンティティとして機能してもよい。メッシュネットワークの例では、ＵＥは、スケジューリングエンティティと通信することに加えて、オプション的に互いに直接的に通信してもよい。
【００３０】
［００４１］
したがって、時間−周波数リソースに対してスケジュールされたアクセスを有し、セルラーコンフィギュレーション、Ｐ２Ｐコンフィギュレーション、メッシュコンフィギュレーションを有するワイヤレス通信ネットワークにおいて、スケジューリングエンティティおよび１つ以上の下位エンティティは、スケジューリングされたリソースを利用して、通信してもよい。
【００３１】
［００４２］
いくつかの態様では、（例えば、ＵＥ１２０ａおよびＵＥ１２０ｅとして示される）２つ以上のＵＥ１２０は、１つ以上のサイドリンクチャネルを使用して、（例えば、互いに通信するために中間としてＢＳ１１０を使用することなく）直接的に通信してもよい。例えば、ＵＥ１２０は、ピアツーピア（Ｐ２Ｐ）通信、デバイスツーデバイス（Ｄ２Ｄ）通信、（例えば、車両−車両（Ｖ２Ｖ）プロトコル、車両−インフラストラクチャ（Ｖ２Ｉ）プロトコル、および／または、これらに類するものを含んでいるかもしれない）車両ツーエブリスング（Ｖ２Ｘ）プロトコル、メッシュネットワーク、および／または、これらに類するものを使用して通信してもよい。このケースでは、ＵＥ１２０は、スケジューリング動作、リソース選択動作、および／または、ＢＳ１１０により実行されるものとして、本明細書の他の場所で説明されている他の動作を実行してもよい。
【００３２】
［００４３］
上述のように、図１は、単なる例として提供されている。他の例も可能であり、他の例は、図１に関して説明したものと異なっていてもよい。
【００３３】
［００４４］
図２は、図１の基地局のうちの１つおよびＵＥのうちの１つであってもよい、ＢＳ１１０およびＵＥ１２０の設計のブロック図を示す。ＢＳ１１０は、Ｔ本のアンテナ２３４ａ〜２３４ｔを装備していてもよく、ＵＥ１２０は、Ｒ本のアンテナ２５２ａ〜２５２ｒを装備していてもよく、ここで、一般に、Ｔ≧１であり、Ｒ≧１である。
【００３４】
［００４５］
ＢＳ１１０において、送信プロセッサ２２０は、１つ以上のＵＥのために、データソース２１２からデータを受け取り、ＵＥから受け取ったチャネル品質インジケータ（ＣＱＩ）に少なくとも部分的に基づいて、各ＵＥのための１つ以上の変調およびコーディング方式（ＭＣＳ）を選択し、ＵＥのために選択したＭＣＳに少なくとも部分的に基づいて、各ＵＥのためのデータを処理（例えば、エンコードおよび変調）し、すべてのＵＥのためのデータシンボルを提供してもよい。送信プロセッサ２２０はまた、（例えば、半静的リソース区分情報（ＳＲＰＩ）など）システム情報および制御情報（例えば、ＣＱＩ要求、許可、上位レイヤシグナリングなど）を処理し、オーバーヘッドシンボルおよび制御シンボルを提供してもよい。送信プロセッサ２２０はまた、送信されるべき通信のデータコンフィギュレーションに少なくとも部分的に基づいて、特定の位置において、基準信号（例えば、セル特有基準信号（ＣＲＳ）または復調基準信号（ＤＭＲＳ））のための基準シンボルおよび同期信号（例えば、１次同期信号（ＰＳＳ）および２次同期信号（ＳＳＳ））を発生させてもよい。送信（ＴＸ）多入力多出力（ＭＩＭＯ）プロセッサ２３０は、適用可能な場合、データシンボル、制御シンボル、オーバーヘッドシンボル、および／または、基準シンボルにおいて、空間処理（例えば、プリコーディング）を実行してもよく、Ｔ個の出力シンボルストリームをＴ個の変調器（ＭＯＤ）２３２ａ〜２３２ｔに提供してもよい。各変調器２３２は、（例えば、ＯＦＤＭなど）それぞれの出力シンボルストリームを処理して、出力サンプルストリームを取得してもよい。各変調器２３２は、出力サンプルストリームをさらに処理（例えば、アナログへの変換、増幅、フィルタ処理、および、アップコンバート）して、ダウンリンク信号を取得してもよい。アンテナ２３４ａ〜２３４ｔを通して、変調器２３２ａ〜２３２ｔからのダウンリンク信号をそれぞれ送信してもよい。以下でより詳細に説明するさまざまな態様にしたがうと、追加の情報を伝えるために、位置エンコーディングにより同期信号を発生させてもよい。
【００３５】
［００４６］
ＵＥ１２０において、アンテナ２５２ａ〜２５２ｒは、ＢＳ１１０および／または他の基地局からダウンリンク信号を受信して、受信した信号を復調器（ＤＥＭＯＤ）２５４ａ〜２５４ｒにそれぞれ提供してもよい。各復調器２５４は、受信した信号を調整（例えば、フィルタ処理、増幅、ダウンコンバート、および、デジタル化）して、入力サンプルを取得してもよい。各復調器２５４は、（例えば、ＯＦＤＭなどのために）入力サンプルをさらに処理して、受信したシンボルを取得してもよい。ＭＩＭＯ検出器２５６は、Ｒ個すべての復調器２５４ａ〜２５４ｒから受信したシンボルを取得し、適用可能な場合、受信したシンボルに対してＭＩＭＯ検出を実行し、検出したシンボルを提供してもよい。受信プロセッサ２５８は、検出したシンボルを処理（例えば、復調およびデコード）し、ＵＥ１２０のためにデコードしたデータをデータシンク２６０に提供し、デコードした制御情報およびシステム情報を制御装置／プロセッサ２８０に提供してもよい。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）、および／または、これらに類するものを決定してもよい。
【００３６】
［００４７］
アップリンク上で、ＵＥ１２０において、送信プロセッサ２６４は、データソース２６２からデータを受け取って処理し、制御装置／プロセッサ２８０から（例えば、ＲＳＲＰ、ＲＳＳＩ、ＲＳＲＱ、ＣＱＩなどを含む報告のために）制御情報を受け取って処理してもよい。送信プロセッサ２６４はまた、１つ以上の基準信号に対する基準シンボルを発生させてもよい。送信プロセッサ２６４からのシンボルは、適用可能な場合、ＴＸ  ＭＩＭＯプロセッサ２６６によりプリコーディングされ、（例えば、ＤＦＴ−ｓ−ＯＦＤＭ、ＣＰ−ＯＦＤＭなどのために）変調器２５４ａ〜２５４ｒによりさらに処理され、ＢＳ１１０に送信されてもよい。ＢＳ１１０において、ＵＥ１２０および他のＵＥからのアップリンク信号は、アンテナ２３４により受信され、復調器２３２により処理され、適用可能な場合、ＭＩＭＯ検出器２３６により検出され、さらに受信プロセッサ２３８により処理されて、ＵＥ１２０により送信されデコードされたデータおよび制御情報が取得されてもよい。受信プロセッサ２３８は、デコードされたデータをデータシンク２３９に、そして、デコードされた制御情報を制御装置／プロセッサ２４０に提供してもよい。ＢＳ１１０は、通信ユニット２４４を含んでいてもよく、通信ユニット２４４を介して、ネットワーク制御装置１３０に通信してもよい。ネットワーク制御装置１３０は、通信ユニット２９４、制御装置／プロセッサ２９０、および、メモリ２９２を含んでいてもよい。
【００３７】
［００４８］
いくつかの態様では、ＵＥ１２０の１つ以上のコンポーネントが、ハウジング中に含まれていてもよい。ＢＳ１１０の制御装置／プロセッサ２４０、ＵＥ１２０の制御装置／プロセッサ２８０、および／または、図２の他の任意のコンポーネントは、本明細書の他の場所でより詳細に説明するように、制御情報および／または対応する通信が、スロットベースのコンフィギュレーションまたは非スロットベースのコンフィギュレーションに関係するか否かの決定に関係する１つ以上の技法を実行してもよい。例えば、ＢＳ１１０の制御装置／プロセッサ２４０、ＵＥ１２０の制御装置／プロセッサ２８０、および／または、図２の他の任意のコンポーネントは、例えば、図１１のプロセス１１００の、および／または、ここで説明する他のプロセスの動作を実行するか、または、それらの動作を表示していてもよい。メモリ２４２および２８２は、それぞれ、ＢＳ１１０およびＵＥ１２０のためのデータおよびプログラムコードを記憶していてもよい。スケジューラ２４６は、ダウンリンクおよび／またはアップリンク上でのデータ送信のために、ＵＥをスケジューリングしてもよい。
【００３８】
［００４９］
記憶されているプログラムコードは、ＵＥ１２０における制御装置／プロセッサ２８０および／または他のプロセッサおよびモジュールにより実行されるとき、図１１のプロセス１１００に関しておよび／またはここで説明するような他のプロセスに関して説明する動作をＵＥ１２０に実行させてもよい。スケジューラ２４６は、ダウンリンクおよび／またはアップリンク上でのデータ送信のために、ＵＥをスケジューリングしてもよい。
【００３９】
［００５０］
いくつかの態様では、ＵＥ１２０は、ＵＥ１２０の通信に対する制御情報を受信する手段、制御情報に少なくとも部分的に基づいて、制御情報がスロットベースの制御コンフィギュレーションまたは非スロットベースの制御コンフィギュレーションに関係するか否かを決定する手段、通信がスロットベースのデータコンフィギュレーションまたは非スロットベースのデータコンフィギュレーションに関係するか否かを決定する手段、および／または、これらに類するものを含んでいてもよい。いくつかの態様では、このような手段は、図２に関連して説明したＵＥ１２０の１つ以上のコンポーネントを含んでいてもよい。
【００４０】
［００５１］
図２のブロックは別個のコンポーネントとして示されているが、ブロックに関して上記で説明した機能は、単一のハードウェア、ソフトウェア、または、組み合わせコンポーネントで、あるいは、コンポーネントのさまざまな組み合わせで実現してもよい。例えば、送信プロセッサ２６４、受信プロセッサ２５８、および／または、ＴＸ  ＭＩＭＯプロセッサ２６６に関して説明した機能は、制御装置／プロセッサ２８０の制御により、または、制御の下で実行してもよい。
【００４１】
［００５２］
上述のように、図２は、単なる例として提供されている。他の例も可能であり、他の例は、図２に関して説明したものと異なっていてもよい。
【００４２】
［００５３］
図３Ａは、電気通信システム（例えば、ＮＲ）における周波数分割デュプレックス（ＦＤＤ）のための例示的なフレーム構造３００を示している。ダウンリンクおよびアップリンクのそれぞれのための送信タイムラインは、無線フレームの単位に区分してもよい。各無線フレームは、予め定められた持続時間を有していてもよく、（例えば、０〜Ｚ−１のインデックスを有する）Ｚ個の（Ｚ≧１）サブフレームのセットへの区分であってもよい。各サブフレームは、スロットのセットを含んでいてもよい（例えば、サブフレーム当たり２つのスロットが図３Ａに示されている）。各サブフレームにおいて任意の数のスロットを使用してもよいが、いくつかのコンフィギュレーションは、フレームの副搬送波間隔に少なくとも部分的に基づいて、１〜３２スロットの間を使用する。各スロットは、Ｌ個のシンボル期間のセットを含んでいてもよい。例えば、各スロットは、（例えば、図３Ａに示されるような）７つのシンボル期間、１５個のシンボル期間、および／または、これらに類するものを含んでいてもよい。サブフレームが２つのスロットを含むケースでは、サブフレームは、２Ｌ個のシンボル期間を含んでいてもよく、各サブフレーム中の２Ｌ個のシンボル期間には、０〜２Ｌ−１のインデックスを割り当ててもよい。いくつかの態様では、ＦＤＤのためのスケジューリング単位は、フレームベース、サブフレームベース、スロットベース、シンボルベース、および／または、これらに類するものであってもよい。
【００４３】
［００５４］
フレーム、サブフレーム、スロット、および／または、これらに類するものに関して、いくつかの技法をここで説明するが、これらの技法は、５Ｇ  ＮＲ中の「フレーム」、「サブフレーム」、「スロット」、および／または、これらに類するもの以外の用語を使用して参照されるかもしれない、他のタイプのワイヤレス通信構造に等しく適用してもよい。いくつかの態様では、ワイヤレス通信構造は、ワイヤレス通信標準規格および／またはプロトコルにより規定されている周期的な時間境界通信単位を指していてもよい。追加的または代替的に、図３Ａに示されたもの以外の、ワイヤレス通信構造の異なる構造を使用してもよい。
【００４４】
［００５５］
いくつかの電気通信（例えば、ＮＲ）では、基地局は同期信号を送信するかもしれない。例えば、基地局は、基地局によりサポートされる各セルのダウンリンク上で、１次同期信号（ＰＳＳ）、２次同期信号（ＳＳＳ）、および／または、これらに類するものを送信するかもしれない。セルサーチおよび捕捉のために、ＵＥによりＰＳＳおよびＳＳＳを使用してもよい。例えば、ＵＥによりＰＳＳを使用して、シンボルタイミングを決定してもよく、そしてＵＥによりＳＳＳを使用して、基地局に関係する物理セル識別子と、フレームタイミングとを決定してもよい。基地局はまた、物理ブロードキャストチャネル（ＰＢＣＨ）を送信してもよい。ＰＢＣＨは、ＵＥによる初期アクセスをサポートするシステム情報のような、いくつかのシステム情報を伝えてもよい。
【００４５】
［００５６］
いくつかの態様では、図３Ｂに関して以下で説明するように、基地局は、複数の同期通信（例えば、ＳＳブロック）を含む、同期通信階層（例えば、同期信号（ＳＳ）階層）にしたがって、ＰＳＳ、ＳＳＳ、および／または、ＰＢＣＨを送信してもよい。
【００４６】
［００５７］
図３Ｂは、同期通信階層の例である、例示的なＳＳ階層を概念的に示すブロック図である。図３Ｂに示すように、ＳＳ階層は、ＳＳバーストセットを含んでいてもよく、ＳＳバーストセットは、（Ｂは基地局により送信されるかもしれないＳＳバーストの反復の最大数であり、ＳＳバースト０〜ＳＳバーストＢ−１として識別される）複数のＳＳバーストを含んでいてもよい。さらに示されるように、各ＳＳバーストは、（ｂｍａｘ＿ＳＳ−１は、ＳＳバーストにより伝えることができるＳＳブロックの最大数であり、ＳＳブロック０〜ＳＳブロック（ｂｍａｘ＿ＳＳ−１）として識別される）１つ以上のＳＳブロックを含んでいてもよい。いくつかの態様では、異なるＳＳブロックは、異なってビーム形成してもよい。図３Ｂに示されているように、ワイヤレスノードにより、Ｘミリ秒ごとのように周期的に、ＳＳバーストセットを送信してもよい。いくつかの態様では、ＳＳバーストセットは、図３ＢにおいてＹミリ秒として示される、固定または動的な長さを有していてもよい。
【００４７】
［００５８］
図３Ｂに示されるＳＳバーストセットは、同期通信セットの例であり、ここで説明する技法に関連して、他の同期通信セットを使用してもよい。さらに、図３Ｂに示すＳＳブロックは、同期通信の例であり、ここで説明する技法に関連して、他の同期通信を使用してもよい。
【００４８】
［００５９］
いくつかの態様では、ＳＳブロックは、ＰＳＳと、ＳＳＳと、ＰＢＣＨと、ならびに／あるいは、他の同期信号（例えば、３次同期信号（ＴＳＳ））および／または同期チャネルとを伝えるリソースを含んでいる。いくつかの態様では、複数のＳＳブロックがＳＳバースト中に含まれ、ＰＳＳ、ＳＳＳ、および／または、ＰＢＣＨは、ＳＳバーストの各ＳＳブロックに渡って同じであってもよい。いくつかの態様では、単一のＳＳブロックが、ＳＳバースト中に含まれていてもよい。いくつかの態様では、ＳＳブロックは、長さが少なくとも４つのシンボル期間であってもよく、各シンボルは、ＰＳＳ（例えば、１つのシンボルを占有する）、ＳＳＳ（例えば、１つのシンボルを占有する）、および／または、ＰＢＣＨ（例えば、２つのシンボルを占有する）のうちの１つ以上を伝える。いくつかの態様では、データチャネルにおいて、ＳＳブロックは、残りの最小システム情報通信のようなデータ通信と多重化してもよい。
【００４９】
［００６０］
いくつかの態様では、同期通信（例えば、ＳＳブロック）は、送信のための基地局同期通信を含んでいてもよく、基地局同期通信は、Ｔｘ  ＢＳ−ＳＳ、Ｔｘ  ｇＧＢ−ＳＳ、および／または、これらに類するものとして呼ばれることもある。いくつかの態様では、同期通信（例えば、ＳＳブロック）は、受信のための基地局同期通信を含んでいてもよく、基地局同期通信は、Ｒｘ  ＢＳ−ＳＳ、Ｒｘ  ｇＧＢ−ＳＳ、および／または、これらに類するものとして呼ばれることもある。いくつかの態様では、同期通信（例えば、ＳＳブロック）は、送信のためのユーザ機器同期通信を含んでいてもよく、ユーザ機器同期通信は、Ｔｘ  ＵＥ−ＳＳ、Ｔｘ  ＮＲ−ＳＳ、および／または、これらに類するものとして呼ばれることもある。（例えば、第１の基地局による送信および第２の基地局による受信のための）基地局同期通信は、基地局間の同期のために構成されていてもよく、（例えば、基地局による送信およびユーザ機器による受信のための）ユーザ機器同期通信は、基地局とユーザ機器との間の同期のために構成されていてもよい。
【００５０】
［００６１］
いくつかの態様では、基地局同期通信は、ユーザ機器同期通信以外の異なる情報を含んでいてもよい。例えば、１つ以上の基地局同期通信は、ＰＢＣＨ通信を除外しているかもしれない。追加的または代替的に、基地局同期通信およびユーザ機器同期通信は、同期通信の送信または受信のために使用される時間リソース、同期通信の送信または受信のために使用される周波数リソース、同期通信の周期、同期通信の波形、同期通信の送信または受信に使用されるビーム形成パラメータ、および／または、これらに類するもののうちの１つ以上に関して異なっていてもよい。
【００５１】
［００６２］
いくつかの態様では、図３Ｂに示すように、ＳＳブロックのシンボルは連続している。いくつかの態様では、ＳＳブロックのシンボルは非連続である。同様に、いくつかの態様では、１つ以上のサブフレームの間で、連続無線リソース（例えば、連続するシンボル期間）中で、ＳＳバーストの１つ以上のＳＳブロックを送信してもよい。追加的または代替的に、非連続無線リソース中で、ＳＳバーストの１つ以上のＳＳブロックを送信してもよい。
【００５２】
［００６３］
いくつかの態様では、ＳＳバーストはバースト期間を有していてもよく、それにより、ＳＳバーストのＳＳブロックは、バースト期間にしたがって基地局により送信される。言い換えると、各ＳＳバースト間で、ＳＳブロックを繰り返してもよい。いくつかの態様では、ＳＳバーストセットはバーストセット周期を有していてもよく、それにより、ＳＳバーストセットのＳＳバーストは、固定バーストセット周期にしたがって基地局により送信される。言い換えれば、各ＳＳバーストセットの間で、ＳＳバーストを繰り返してもよい。
【００５３】
［００６４］
基地局は、あるサブフレーム中の物理ダウンリンク共有チャネル（ＰＤＳＣＨ）上で、システム情報ブロック（ＳＩＢ）のようなシステム情報を送信してもよい。基地局は、サブフレームのＣ個のシンボル期間中に、物理ダウンリンク制御チャネル（ＰＤＣＣＨ）上で、制御情報／データを送信してもよく、Ｂは、各サブフレームに対して構成可能であってもよい。基地局は、各サブフレームの残りのシンボル期間中に、ＰＤＳＣＨ上でトラフィックデータおよび／または他のデータを送信してもよい。
【００５４】
［００６５］
上述のように、図３Ａおよび図３Ｂは、例として提供されている。他の例も可能であり、他の例は、図３Ａおよび図３Ｂに関して説明したものと異なっていてもよい。
【００５５】
［００６６］
図４は、通常のサイクリックプレフィックスを有する例示的なサブフレームフォーマット４１０を示す。利用可能な時間周波数リソースは、リソースブロックに区分してもよい。各リソースブロックは、１つのスロット中の副搬送波のセット（例えば、１２個の副搬送波）をカバーしていてもよく、多数のリソース要素を含んでいてもよい。各リソース要素は、（例えば、時間的に）１つのシンボル期間中で１つの副搬送波をカバーしていてもよく、実数値または複素数値であってもよい、１つの変調シンボルを送信するのに使用してもよい。いくつかの態様では、ここで説明するように、ＰＳＳ、ＳＳＳ、ＰＢＣＨ、および／または、これらに類するものを伝えるＳＳブロックの送信のために、サブフレームフォーマット４１０を使用してもよい。
【００５６】
［００６７］
ある電気通信システム（例えば、ＮＲ）におけるＦＤＤのためのダウンリンクおよびアップリンクのそれぞれに対して、インターレース構造を使用してもよい。例えば、０〜Ｑ−１のインデックスを有するＱ個のインターレースを規定してもよく、Ｑは、４、６、８、１０、または、他の何らかの値に等しくてもよい。各インターレースは、Ｑ個のフレームだけ離間されているサブフレームを含んでいてもよい。特に、インターレースｑは、サブフレームｑ、ｑ＋Ｑ、ｑ＋２Ｑなどを含んでいてもよく、ｑ∈｛０，．．．，Ｑ−１｝である。
【００５７】
［００６８］
ＵＥは、複数のＢＳのカバレージ内に位置していてもよい。これらのＢＳのうちの１つは、ＵＥにサービスするように選択されていてもよい。サービングＢＳは、受信信号強度、受信信号品質、パス損失、および／または、これらに類するもののような、さまざまな基準に少なくとも部分的に基づいて、選択してもよい。受信信号品質は、信号対雑音および干渉比（ＳＩＮＲ）、または、基準信号受信品質（ＲＳＲＱ）、または、他の何らかのメトリックにより、定量化してもよい。ＵＥは、ＵＥが１つ以上の干渉ＢＳからの高い干渉を観測するかもしれない支配的干渉シナリオで動作していてもよい。
【００５８】
［００６９］
ここで説明する例の態様は、ＮＲまたは５Ｇ技術に関係しているかもしれないが、本開示の態様は他のワイヤレス通信システムに適用可能であってもよい。新しい無線（ＮＲ）は、（例えば、直交周波数分割多元接続（ＯＦＤＭＡ）ベースのエアインターフェース以外の）新しいエアインターフェースに、または、（例えば、インターネットプロトコル（ＩＰ）以外の）固定トランスポートレイヤにしたがって動作するように構成されている無線を指していてもよい。態様では、ＮＲは、アップリンク上では（ここでは、サイクリックプレフィックスＯＦＤＭまたはＣＰ−ＯＦＤＭとして呼ばれる）ＣＰおよび／またはＳＣ−ＦＤＭを用いるＯＦＤＭを利用していてもよく、ダウンリンク上ではＣＰ−ＯＦＤＭを利用していてもよく、時分割デュプレックス（ＴＤＤ）を使用した半二重動作のためのサポートを含んでいてもよい。いくつかの態様では、ＮＲは、例えば、アップリンク上では（ここでは、ＣＰ−ＯＦＤＭとして呼ばれる）ＣＰおよび／または離散フーリエ変換拡散直交周波数分割多重化（ＤＦＴ−ｓ−ＯＦＤＭ）を用いるＯＦＤＭを利用していてもよく、ダウンリンク上ではＣＰ−ＯＦＤＭを利用していてもよく、ＴＤＤを使用した半二重動作のためのサポートを含んでいてもよい。ＮＲは、広帯域幅（例えば、８０メガヘルツ（ＭＨｚ）およびこれを超える）をターゲットとする拡張移動体ブロードバンド（ＥＭＢＢ）サービス、高搬送波周波数（例えば、６０ギガヘルツ（ＧＨｚ））をターゲットとするミリ波（ｍｍＷ）、非下位互換性のＭＴＣ技法をターゲットとするマッシブＭＴＣ（ｍＭＴＣ）、および／または、超高信頼性の低レイテンシ通信（ＵＲＬＬＣ）サービスをターゲットとするミッションクリティカルを含んでいてもよい。
【００５９】
［００７０］
いくつかの態様では、１００ＭＨＺの単一のコンポーネント搬送波帯域幅がサポートされていてもよい。ＮＲリソースブロックは、０．１ミリ秒（ｍ秒）持続時間に渡って６０または１２０キロヘルツ（ｋＨｚ）の副搬送波帯域幅を有する１２個の副搬送波に及んでいてもよい。各無線フレームは、１０ｍ秒の長さを有する４０個のサブフレームを含んでいてもよい。その結果、各サブフレームは、０．２５ｍ秒の長さを有していてもよい。各サブフレームは、データ送信のためのリンク方向（例えば、ＤＬまたはＵＬ）を示していてもよく、各サブフレームのためのリンク方向は、動的に切り替えてもよい。各サブフレームは、ＤＬ／ＵＬデータとともに、ＤＬ／ＵＬ制御データを含んでいてもよい。
【００６０】
［００７１］
ビーム形成がサポートされていてもよく、ビーム方向は動的に構成してもよい。プリコーディングを有するＭＩＭＯ送信もサポートされていてもよい。ＤＬにおけるＭＩＭＯコンフィギュレーションは、ＵＥ当たり２つのストリームまでで、８つまでのストリームの多レイヤＤＬ送信を有する、８本までの送信アンテナをサポートしてもよい。ＵＥ当たり２つのストリームを有する、多レイヤ送信をサポートしてもよい。８つまでのサービングセルを有する、複数のセルのアグリゲーションをサポートしてもよい。代替的に、ＮＲは、ＯＦＤＭベースのインターフェース以外の異なるエアインターフェースをサポートしてもよい。ＮＲネットワークは、中央ユニットまたは分散ユニットのようなエンティティを含んでいてもよい。
【００６１】
［００７２］
上述のように、図４は例として提供されている。他の例も可能であり、他の例は、図４に関して説明したものとは異なっていてもよい。
【００６２】
［００７３］
図５は、本開示の態様にしたがう、分散ＲＡＮ５００の例示的な論理アーキテクチャを示す。５Ｇアクセスノード５０６は、アクセスノード制御装置（ＡＮＣ）５０２を含んでいてもよい。ＡＮＣは、分散ＲＡＮ５００の中央ユニット（ＣＵ）であってもよい。いくつかの態様では、ＡＮＣ５０２は、下位エンティティのスケジューリングを実行してもよい。次世代コアネットワーク（ＮＧ−ＣＮ）５０４へのバックホールインターフェースは、ＡＮＣにおいて終端していてもよい。隣接する次世代アクセスノード（ＮＧ−ＡＮｓ）へのバックホールインターフェースは、ＡＮＣにおいて終端していてもよい。ＡＮＣは、（ＢＳ、ＮＲ  ＢＳ、ノードＢ、５Ｇ  ＮＢ、ＡＰ、ｇＮＢ、または、他の何らかの用語としても呼ばれることもある）１つ以上のＴＲＰ５０８を含んでいてもよい。上述したように、ＴＲＰは、「セル」と互換的に使用することがある。
【００６３】
［００７４］
ＴＲＰ５０８は、分散ユニット（ＤＵ）であってもよい。ＴＲＰは、１つのＡＮＣ（ＡＮＣ５０２）または１つより多いＡＮＣ（図示せず）に接続されていてもよい。例えば、ＲＡＮ共有、サービスとしての無線（ＲａａＳ）、および、サービス特有のＡＮＤ配備のために、ＴＲＰは、１つより多いＡＮＣに接続されていてもよい。ＴＲＰは、１つ以上のアンテナポートを含んでいてもよい。ＴＲＰは、ＵＥへのトラフィックを個別に（例えば、動的な選択）、または共同で（例えば、ジョイント送信）サービスするように構成されていてもよい。
【００６４】
［００７５］
フロントホール規定を例示するために、ＲＡＮ５００のローカルアーキテクチャを使用している。アーキテクチャは、異なる配備タイプに渡ってフロントホールソリューションをサポートするように規定されている。例えば、アーキテクチャは、送信ネットワーク能力（例えば、帯域幅、レイテンシ、および／または、ジッタ）に少なくとも部分的に基づいていてもよい。
【００６５】
［００７６］
アーキテクチャは、ＬＴＥと、特徴および／またはコンポーネントを共有していてもよい。態様にしたがうと、次世代ＡＮ（ＮＧ−ＡＮ）５１０は、ＮＲとのデュアル接続性をサポートしていてもよい。ＮＧ−ＡＮは、ＬＴＥおよびＮＲのための共通フロントホールを共有していてもよい。
【００６６】
［００７７］
アーキテクチャは、ＴＲＰ５０８の間およびＴＲＰ５０８間の協同を可能にしていてもよい。例えば、協同は、ＡＮＣ５０２を介して、ＴＲＰ内でおよび／またはＴＲＰに渡って、事前設定されていてもよい。態様にしたがうと、インターＴＲＰインターフェースは、必要とされない／存在していなくてもよい。
【００６７】
［００７８］
態様にしたがうと、分割論理機能の動的コンフィギュレーションが、ＲＡＮ５００のアーキテクチャ内に存在していてもよい。ＡＮＣまたはＴＲＰにおいて、パケットデータコンバージェンスプロトコル（ＰＤＣＰ）、無線リンク制御（ＲＬＣ）、媒体アクセス制御（ＭＡＣ）プロトコルが、適応可能に配置されていてもよい。
【００６８】
［００７９］
さまざまな態様にしたがうと、ＢＳは、中央ユニット（ＣＵ）（例えば、ＡＮＣ５０２）、および／または、１つ以上の分散ユニット（例えば、１つ以上のＴＲＰ５０８）を含んでいてもよい。
【００６９】
［００８０］
上述のように、図５は、単なる例として提供されている。他の例も可能であり、図５に関して説明したものと異なっていてもよい。
【００７０】
［００８１］
図６は、本開示の態様にしたがう、分散ＲＡＮ６００の例示的な物理アーキテクチャを図示している。集中コアネットワークユニット（Ｃ−ＣＵ）６０２は、コアネットワーク機能をホスト管理していてもよい。Ｃ−ＣＵは、中央に配備されていてもよい。Ｃ−ＣＵ機能性は、ピーク容量を取り扱うために、（例えば、高度なワイヤレスサービス（ＡＷＳ）に対して）オフロードされていてもよい。
【００７１】
［００８２］
集中ＲＡＮユニット（Ｃ−ＲＵ）６０４は、１つ以上のＡＮＣ機能をホスト管理していてもよい。オプション的に、Ｃ−ＲＵは、ローカル的にコアネットワーク機能をホスト管理していてもよい。Ｃ−ＲＵは、分散配備されていてもよい。Ｃ−ＲＵは、ネットワークエッジにより近くてもよい。
【００７２】
［００８３］
分散ユニット（ＤＵ）６０６は、１つ以上のＴＲＰをホスト管理していてもよい。ＤＵは、無線周波数（ＲＦ）機能性を有するネットワークのエッジに位置していてもよい。
【００７３】
［００８４］
上述のように、図６は、単なる例として提供されている。他の例も可能であり、他の例は、図６に関して説明したものとは異なっていてもよい。
【００７４】
［００８５］
図７は、ＤＬ中心スロットまたはワイヤレス通信構造の例を示す図７００である。ＤＬ中心スロットは、制御部分７０２を含んでいてもよい。制御部分７０２は、ＤＬ中心スロットの初期部分または始まり部分に存在していてもよい。制御部分７０２は、ＤＬ中心スロットのさまざまな部分に対応する、さまざまなスケジューリング情報および／または制御情報を含んでいてもよい。いくつかのコンフィギュレーションでは、図７に示されているように、制御部分７０２は、物理ＤＬ制御チャネル（ＰＤＣＣＨ）であってもよい。いくつかの態様では、制御部分７０２は、レガシーＰＤＣＣＨ情報、短縮ＰＤＣＣＨ（ｓＰＤＣＣＨ）情報、（例えば、物理制御フォーマットインジケータチャネル（ＰＣＦＩＣＨ）上で伝えられる）制御フォーマットインジケータ（ＣＦＩ）値、１つ以上の許可（例えば、ダウンリンク許可、アップリンク許可など）、および／または、これらに類するものを含んでいてもよい。スロットベースの制御コンフィギュレーションに対して、制御部分７０２は、ＤＬデータ部分７０４において送信または受信されるべき通信に対する制御情報を伝えてもよい。
【００７５】
［００８６］
ＤＬ中心スロットはまた、ＤＬデータ部分７０４を含んでいてもよい。ＤＬデータ部分７０４は、時には、ＤＬ中心スロットのペイロードとして呼ばれることもある。ＤＬデータ部分７０４は、スケジューリングエンティティ（例えば、ＵＥまたはＢＳ）から下位エンティティ（例えば、ＵＥ）にＤＬデータを通信するのに利用される通信リソースを含んでいてもよい。いくつかのコンフィギュレーションでは、ＤＬデータ部分７０４は、物理ＤＬ共有チャネル（ＰＤＳＣＨ）であってもよい。非スロットベースの制御コンフィギュレーションに対して、制御情報は、ＤＬデータ部分７０４または制御部分７０２において受信されてもよい。
【００７６】
［００８７］
ＤＬ中心スロットはまた、ＵＬショートバースト部分７０６を含んでいてもよい。ＵＬショートバースト部分７０６は、時には、ＵＬバースト、ＵＬバースト部分、共通ＵＬバースト、ショートバースト、ＵＬショートバースト、共通ＵＬショートバースト、共通ＵＬショートバースト部分、および／または、他のさまざまな適切な用語として呼ばれることもある。いくつかの態様では、ＵＬショートバースト部分７０６は、１つ以上の基準信号を含んでいてもよい。追加的または代替的に、ＵＬショートバースト部分７０６は、ＤＬ中心スロットの他のさまざまな部分に対応するフィードバック情報を含んでいてもよい。例えば、ＵＬショートバースト部分７０６は、制御部分７０２および／またはＤＬデータ部分７０４に対応するフィードバック情報を含んでいてもよい。ＵＬショートバースト部分７０６に含まれているかもしれない情報の非限定的な例は、肯定応答（ＡＣＫ）信号（例えば、物理アップリンク制御チャネル（ＰＵＣＣＨ）ＡＣＫ、物理アップリンク共有チャネル（ＰＵＳＣＨ）ＡＣＫ、即時ＡＣＫ）、否定ＡＣＫ（ＮＡＣＫ）信号（例えば、ＰＵＣＣＨ  ＮＡＣＫ、ＰＵＳＣＨ  ＮＡＣＫ、即時ＮＡＣＫ）、スケジューリング要求（ＳＲ）、バッファステータス報告（ＢＳＲ）、ハイブリッド自動再送要求（ＨＡＲＱ）インジケータ、チャネル状態表示（ＣＳＩ）、チャネル品質インジケータ（ＣＱＩ）、サウンディング基準信号（ＳＲＳ）、復調基準信号（ＤＭＲＳ）、ＰＵＳＣＨデータ、および／または、他のさまざまな適切なタイプの情報を含んでいる。ＵＬショートバースト部分７０６は、ランダムアクセスチャネル（ＲＡＣＨ）プロシージャ、スケジューリング要求、および、他のさまざまな適切なタイプの情報に関連する情報のような、追加のまたは代替の情報を含んでいてもよい。
【００７７】
［００８８］
図７に示すように、ＤＬデータ部分７０４の終わりは、ＵＬショートバースト部分７０６の始まりから時間的に分離されていてもよい。時間分離は、時には、ギャップ、ガード期間、ガード間隔、および／または、他のさまざまな適切な用語で呼ばれることもある。この分離は、ＤＬ通信（例えば、下位エンティティ（例えば、ＵＥ）による受信動作）からＵＬ通信（例えば、下位エンティティ（例えば、ＵＥ）による送信）への切り替えのための時間を提供する。上記のことは、ＤＬ中心ワイヤレス通信構造の１つの例にすぎず、類似する特徴を有する代替の構造が、必ずしもここで説明する態様から逸脱することなく存在していてもよい。
【００７８】
［００８９］
上述のように、図７は、単なる例として提供されている。他の例も可能であり、他の例は、図７に関して説明したものとは異なっていてもよい。
【００７９】
［００９０］
図８は、ＵＬ中心スロットまたはワイヤレス通信構造の例を示す図８００である。ＵＬ中心スロットは、制御部分８０２を含んでいてもよい。制御部分８０２は、ＵＬ中心スロットの初期部分または始まり部分に存在していてもよい。図８中の制御部８０２は、図７を参照して上記で説明した制御部７０２と類似していてもよい。ＵＬ中心スロットはまた、ＵＬロングバースト部分８０４を含んでいてもよい。ＵＬロングバースト部分８０４は、時には、ＵＬ中心スロットのペイロードとして呼ばれることもある。ＵＬ部分は、下位エンティティ（例えば、ＵＥ）からスケジューリングエンティティ（例えば、ＵＥまたはＢＳ）にＵＬデータを通信するのに利用される通信リソースを指していてもよい。いくつかのコンフィギュレーションでは、制御部分８０２は、物理ＤＬ制御チャネル（ＰＤＣＣＨ）であってもよい。スロットベースの制御コンフィギュレーションに対して、ＵＥ１２０の通信に対する制御情報が、制御部分８０２において受信されてもよい。
【００８０】
［００９１］
図８に示すように、制御部分８０２の終わりは、ＵＬロングバースト部分８０４の始まりから時間的に分離されていてもよい。この時間分離は、時には、ギャップ、ガード期間、ガードインターバル、および／または、他のさまざまな適切な用語で呼ばれることもある。この分離は、ＤＬ通信（例えば、スケジューリングエンティティによる受信動作）からＵＬ通信（例えば、スケジューリングエンティティによる送信）への切り替えのための時間を提供する。
【００８１】
［００９２］
ＵＬ中心スロットはまた、ＵＬショートバースト部分８０６を含んでいてもよい。図８中のＵＬショートバースト部分８０６は、図７を参照して上記で説明したＵＬショートバースト部分７０６と類似していてもよく、図７に関して上記で説明した情報のうちの何れかを含んでいてもよい。上記のことは、ＵＬ中心ワイヤレス通信構造の１つの例にすぎず、類似する特徴を有する代替の構造が、必ずしもここで説明する態様から逸脱することなく存在していてもよい。
【００８２】
［００９３］
１つの例では、フレームまたはサブフレームのようなワイヤレス通信構造は、ＵＬ中心スロットおよびＤＬ中心スロットの両方を含んでいてもよい。この例では、フレーム中のＤＬ中心スロットに対するＵＬ中心スロットの比は、送信されるＵＬデータの量とＤＬデータの量とに少なくとも部分的に基づいて、動的に調節してもよい。例えば、より多くのＵＬデータがある場合、ＤＬ中心スロットに対するＵＬ中心スロットの比は、増加させてもよい。逆に、より多くのＤＬデータがある場合、ＤＬ中心スロットに対するＵＬ中心スロットの比は、減少させてもよい。
【００８３】
［００９４］
上述のように、図８は、単なる例として提供されている。他の例も可能であり、他の例は、図８に関して説明したものとは異なっていてもよい。
【００８４】
［００９５］
図９Ａおよび図９Ｂは、本開示のさまざまな態様にしたがう、スロットベースおよび非スロットベースの制御およびデータのコンフィギュレーションの例９００を示す図である。
【００８５】
［００９６］
図９Ａにおいて、参照番号９１０により示すように、いくつかの態様では、制御情報は、スロットベースの制御コンフィギュレーションを使用していてもよい。スロットベースの制御コンフィギュレーションでは、制御情報は、スロットのＰＤＣＣＨ中で提供される。ここで、制御情報は、ＰＤＳＣＨ１およびＰＤＳＣＨ２中にそれぞれ提供される通信に対応する、２つのＰＤＣＣＨ（例えば、ＰＤＣＣＨ１およびＰＤＣＣＨ２）中に、残りの最小システム情報（ＲＭＳＩ）を含んでいる。
【００８６】
［００９７］
参照番号９２０により示されるように、通信は、非スロットベースのデータコンフィギュレーションに関係していてもよい。非スロットベースのデータコンフィギュレーションでは、（ＰＤＳＣＨ１およびＰＤＳＣＨ２に対してＤＭＲＳ１およびＤＭＲＳ２としてそれぞれ示されている）通信のための基準信号が、通信の第１のシンボル中で提供されていてもよい。いくつかの態様では、後のシンボル（例えば、ＰＤＳＣＨシンボル）において、１つ以上の追加のＤＭＲＳを送信してもよい。例えば、非スロットベースのデータコンフィギュレーションでは、タイプＢ  ＤＭＲＳを使用してもよく、第１のＤＭＲＳシンボルは、対応するＰＤＳＣＨの第１のシンボル上で生じる。いくつかの態様では、スロットベースのデータコンフィギュレーションに対して、タイプＡ  ＤＭＲＳを使用してもよく、ＤＬ制御領域の後の第１のシンボル中で、基準信号が提供される。さらに示されているように、図９Ａでは、いくつかの態様では、通信は、多重化されていてもよい。例えば、ＰＤＳＣＨ１およびＰＤＳＣＨ２は、ＳＳＢ１およびＳＳＢ２と多重化されていてもよい。
【００８７】
［００９８］
図９Ｂに示され、参照番号９３０により示されているように、いくつかの態様では、非スロットベースの制御コンフィギュレーションを使用してもよい。非スロットベースの制御コンフィギュレーションでは、制御情報は、スロットのＰＤＣＣＨ以外の位置において提供されていてもよい。ここで、（ＰＤＳＣＨ１に対するＲＭＳＩ１およびＰＤＳＣＨ２に対するＲＭＳＩ２として示されている）制御情報は、対応する通信の第１のシンボル中で提供されている。いくつかの態様では、非スロットベースの制御コンフィギュレーションに対して、制御情報は、異なる位置において提供されていてもよい。例えば、制御情報は、対応する通信が送信または受信されるスロットの何れかのシンボル中に、あるいは、対応する通信が送信または受信されるスロットの前または後のスロット中に提供されていてもよい。
【００８８】
［００９９］
ＥＭＢＢのようないくつかの態様では、スロットベースのＰＤＳＣＨまたはＰＵＳＣＨとともに、スロットベースのＰＤＣＣＨを使用してもよい。いくつかの態様では、スロットベースおよび非スロットベースのＰＤＳＣＨまたはＰＵＳＣＨの組み合わせとともに、スロットベースのＰＤＣＣＨを使用してもよい。例えば、図９Ａおよび図９Ｂに示すように、ＲＭＳＩ  ＰＤＳＣＨは、同期信号ブロック（ＳＳＢ）と周波数分割多重化してもよい。これはまた、ビームベースのミリ波アプリケーションに適用可能であってもよい。いくつかの態様では、非スロットベースのＰＤＳＣＨまたはＰＵＳＣＨとともに、非スロットベースのＰＤＣＣＨを使用してもよい。これは、超高信頼性低レイテンシ通信（ＵＲＬＬＣ）のために使用してもよい。いくつかの態様では、スロットベースのＰＤＳＣＨまたはＰＵＳＣＨとともに、スロットベースのＰＤＣＣＨを使用してもよく、非スロットベースのＰＤＳＣＨまたはＰＵＳＣＨとともに、非スロットベースのＰＤＣＣＨを使用してもよい。これは、ＥＭＢＢ＋ＵＲＬＬＣクラスデバイスのために使用してもよい。いくつかの態様では、スロットベースおよび非スロットベースのＰＤＳＣＨまたはＰＵＳＣＨの組み合わせとともに、スロットベースのＰＤＣＣＨを使用してもよく、非スロットベースのＰＤＳＣＨまたはＰＵＳＣＨとともに、非スロットベースのＰＤＣＣＨを使用してもよい。これは、ビームベースのＥＭＢＢ＋ＵＲＬＬＣのために使用してもよい。
【００８９】
［００１００］
上述のように、図９Ａおよび図９Ｂは例として提供されている。他の例も可能であり、他の例は、図９Ａおよび図９Ｂに関して説明したものと異なっていてもよい。
【００９０】
［００１０１］
図１０は、本開示のさまざまな態様にしたがう、制御情報および／または通信に対するスロットベースおよび非スロットベースの制御およびデータのコンフィギュレーションの決定の例１０００を示す図である。
【００９１】
［００１０２］
図１０に示され、参照番号１０１０により示されているように、ＢＳ１１０は、制御情報をＵＥ１２０に送信してもよい。さらに示されているように、制御情報は、スロットベースの制御コンフィギュレーションを有していてもよい。例えば、制御情報は、スロットのＤＬ制御領域中で送信されていてもよい。いくつかの態様では、制御情報は、非スロットベースの制御コンフィギュレーションを有していてもよい。いくつかの態様では、制御情報は、ＵＥ１２０のためのスケジューリング情報（例えば、許可）を含んでいてもよい。以下でより詳細に説明するように、ＵＥ１２０は、制御情報を処理するための適切なタイムラインを決定するために、制御情報に対してどの制御コンフィギュレーションが使用されているかを決定する必要があるかもしれない。
【００９２】
［００１０３］
参照番号１０２０により示されるように、ＵＥ１２０は、制御情報がスロットベースの制御コンフィギュレーションを使用することを決定してもよい。例えば、ＵＥ１２０は、制御情報がスロットベースの制御コンフィギュレーションまたは非スロットベースの制御コンフィギュレーションを使用するか否かを決定してもよい。ＵＥ１２０は、制御情報がスロットベースの制御コンフィギュレーションまたは非スロットベースの制御コンフィギュレーションを使用するか否かを決定して、制御情報をおよび／または制御情報に関係する通信を処理するための適切なタイムラインを決定してもよい。
【００９３】
［００１０４］
いくつかの態様では、ＵＥ１２０は、制御情報のダウンリンク制御情報（ＤＣＩ）フォーマットに少なくとも部分的に基づいて、制御コンフィギュレーションを決定してもよい。例えば、第１のＤＣＩフォーマットまたはＤＣＩフォーマットのセットは、スロットベースの制御コンフィギュレーションに関係していてもよく、第２のＤＣＩフォーマットまたはＤＣＩフォーマットのセットは、非スロットベースの制御コンフィギュレーションに関係していてもよい。ＵＥ１２０が第１のＤＣＩフォーマットの制御情報をデコードするとき、ＵＥ１２０は、制御情報がスロットベースの制御コンフィギュレーションのものであることを決定してもよい。ＵＥ１２０が第２のＤＣＩフォーマットの制御情報をデコードするとき、ＵＥ１２０は、制御情報が非スロットベースの制御コンフィギュレーションのものであることを決定してもよい。
【００９４】
［００１０５］
いくつかの態様では、ＵＥ１２０は、制御情報中の明示的な表示に少なくとも部分的に基づいて、制御コンフィギュレーションを決定してもよい。例えば、制御情報が、スロットベースの制御コンフィギュレーションまたは非スロットベースの制御コンフィギュレーションものであるのかを示していてもよい１つ以上のビットを制御情報が含んでいてもよい。制御情報がスロットベースの制御コンフィギュレーションのものであることを示す値に１つ以上のビットが設定されているとき、ＵＥ１２０は、制御情報がスロットベースの制御コンフィギュレーションのものであることを決定してもよい。制御情報が非スロットベースの制御コンフィギュレーションのものであることを示す値に１つ以上のビットが設定されているとき、ＵＥ１２０は、制御情報が非スロットベースの制御コンフィギュレーションのものであることを決定してもよい。上記の態様（および、ここで説明する他の態様）は、コンパクト制御情報（例えば、コンパクトＤＣＩ）とともに非コンパクト制御情報（例えば、非コンパクトＤＣＩ）に適用可能であってもよい。
【００９５】
［００１０６］
いくつかの態様では、ＵＥ１２０は、制御情報が受信されるサーチ空間に少なくとも部分的に基づいて、および／または、スロットベースの制御コンフィギュレーションおよび非スロットベースの制御コンフィギュレーションに対応する監視機会に少なくとも部分的に基づいて、制御コンフィギュレーションを決定してもよい。ＵＥは、すべての共通サーチ空間と、ＵＥに関係するＵＥ特有サーチ空間のセットとを監視していてもよい。したがって、１つ以上のサーチ空間が、監視機会に関係すると言われることがある。例えば、スロットベースの制御コンフィギュレーションの制御情報のために、第１のサーチ空間を使用してもよく、非スロットベースの制御コンフィギュレーションの制御情報のために、第２のサーチ空間を使用してもよい。別の例として、スロットベースの制御コンフィギュレーションの制御情報のために、スロットのＤＬ制御領域中のサーチ空間を使用してもよく、非スロットベースの制御コンフィギュレーションの制御情報のために、ＤＬ制御領域中にないサーチ空間を使用してもよい。いくつかの態様では、第１の監視機会（例えば、１つ以上のサーチ空間のグループ）は、スロットベースのコンフィギュレーションに関係していてもよい。第２の監視機会（例えば、１つ以上のサーチ空間の別のグループ）は、非スロットベースのコンフィギュレーションに関係していてもよい。ＵＥは、制御情報が第１の監視機会または第２の監視機会において受信されるか否かに少なくとも部分的に基づいて、制御情報が、スロットベースのコンフィギュレーションまたは非スロットベースのコンフィギュレーションに関係するか否かを決定してもよい。
【００９６】
［００１０７］
いくつかの態様では、ＵＥ１２０は、ブラインドデコードを実行して、制御情報を識別してもよい。このようなケースでは、スロットベースの制御コンフィギュレーションに対するサーチ空間のためのブラインドデコード候補と、非スロットベースの制御コンフィギュレーションに対するサーチ空間のためのブラインドデコード候補とが同一であるとき、ブラインドデコード候補のうちの構成された１つを、デコードのために優先してもよい。例えば、いくつかのケースでは、ＵＥ１２０は、それぞれのサーチ空間において２つのブラインドデコード候補を識別してもよく、ブラインドデコード候補のうちの一方は、スロットベースの制御コンフィギュレーションのものであり、ブラインドデコード候補のうちの他方は、非スロットベースの制御コンフィギュレーションのものである。このようなケースでは、ＵＥ１２０は、対応する制御コンフィギュレーションに少なくとも部分的に基づいて、ブラインドデコード候補のうちの１つを優先してもよい。例えば、ＵＥ１２０は、ＵＥ１２０がスロットベースの制御コンフィギュレーションに対応するブラインドデコード候補を優先することに少なくとも部分的に基づいて、スロットベースの制御コンフィギュレーションに関係するブラインドデコード候補のみをデコードしてもよい。このように、特定の制御コンフィギュレーションの制御情報が受信される可能性があるときには、ブラインドデコーディングプロセスの効率が改善され、それにより、ＵＥ１２０の処理リソースが節約される。
【００９７】
［００１０８］
参照番号１０３０により示されるように、ＵＥ１２０は、制御情報に対応する通信（例えば、制御情報により許可されたリソースを使用しての通信）が非スロットベースのデータコンフィギュレーションに関係することを決定してもよい。例えば、ＵＥ１２０は、通信が、非スロットベースのデータコンフィギュレーションまたはスロットベースのデータコンフィギュレーションに関係するか否かを決定してもよい。ＵＥ１２０は、通信に関係する基準信号の位置を決定するために、通信のデータコンフィギュレーションを決定してもよい。例えば、通信がスロットベースのデータコンフィギュレーションのものであるとき、タイプＡ  ＤＭＲＳを使用してもよく、通信が非スロットベースのデータコンフィギュレーションのものであるとき、タイプＢ  ＤＭＲＳを使用してもよい。
【００９８】
［００１０９］
いくつかの態様では、ＵＥ１２０は、ＵＥ１２０のコンフィギュレーションに少なくとも部分的に基づいて、データコンフィギュレーションを決定してもよい。例えば、ＵＥ１２０は、無線リソース制御（ＲＲＣ）シグナリングを使用する通信のために、特定のデータコンフィギュレーションを使用するように構成されていてもよい。いくつかの態様では、ＵＥ１２０は、通信に関係する制御情報の、制御リソースセット（ＣＯＲＥＳＥＴ）またはサーチ空間（ＳＳ）コンフィギュレーションに少なくとも部分的に基づいて、データコンフィギュレーションを決定してもよい。例えば、制御情報が第１のコンフィギュレーションのＣＯＲＥＳＥＴまたはＳＳ中で提供されるとき、ＵＥ１２０は、対応する通信がスロットベースのデータコンフィギュレーションのものであることを決定していてもよく、制御情報が第２のコンフィギュレーションのＣＯＲＥＳＥＴまたはＳＳ中で提供されるとき、ＵＥ１２０は、対応する通信が非スロットベースのデータコンフィギュレーションであることを決定してもよい。追加的にまたは代替的に、ＵＥ１２０は、制御情報が受信されるＣＯＲＥＳＥＴまたはＳＳに少なくとも部分的に基づいて、データコンフィギュレーションを決定してもよい。例えば、ＣＯＲＥＳＥＴまたはＳＳの第１のセットは、スロットベースのデータコンフィギュレーションに対する制御情報のために指定されていてもよく、ＣＯＲＥＳＥＴまたはＳＳの第２のセットは、非スロットベースのデータコンフィギュレーションに対する制御情報のために指定されていてもよい。
【００９９】
［００１１０］
いくつかの態様では、ＵＥ１２０は、制御情報の制御コンフィギュレーションに少なくとも部分的に基づいて、データコンフィギュレーションを決定してもよい。例えば、制御情報が非スロットベースの制御コンフィギュレーションのものであるとき、ＵＥ１２０は、対応する通信が非スロットベースのデータコンフィギュレーションのものであることを決定してもよい。
【０１００】
［００１１１］
いくつかの態様では、ＵＥ１２０は、制御情報のＤＣＩフォーマットに少なくとも部分的に基づいて、データコンフィギュレーションを決定してもよい。例えば、制御情報の第１のＤＣＩフォーマットが、スロットベースのデータコンフィギュレーションに対応していてもよく、制御情報の第２のＤＣＩフォーマットが、非スロットベースのデータコンフィギュレーションに対応していてもよい。いくつかの態様では、ＵＥ１２０は、制御情報中の表示に少なくとも部分的に基づいて、データコンフィギュレーションを決定してもよい。例えば、制御情報は、通信がスロットベースのデータコンフィギュレーションまたは非スロットベースのデータコンフィギュレーションのものであるか否かを示していてもよい１つ以上のビットを含んでいてもよい。
【０１０１】
［００１１２］
いくつかの態様では、制御情報は、フォールバックＤＣＩとして呼ばれることもある、コンパクトＤＣＩのようなコンパクト制御情報であってもよい。コンパクトＤＣＩは、典型的なＤＣＩよりも短くてもよい。このようなケースでは、ＵＥ１２０は、予め規定されているルールに少なくとも部分的に基づいて、通信のデータコンフィギュレーションのいくつかの部分を決定してもよい。例えば、ＵＥ１２０は、コンパクトＤＣＩに関係する通信が常にスロットベースのデータコンフィギュレーションのものであることを決定してもよく、または、コンパクトＤＣＩに関係する通信が常に非スロットベースのデータコンフィギュレーションのものであることを決定してもよい。これは、そうでなければデータコンフィギュレーションを示すのに使用されることになる、コンパクトＤＣＩのリソースを、したがって、ネットワークリソースを節約するかもしれない。いくつかの態様では、コンパクトＤＣＩは、データコンフィギュレーションを明示的にまたは暗黙的に示していてもよい。参照番号１０４０により示されるように、ＵＥ１２０は、非スロットベースのデータコンフィギュレーションに関係する通信を受信するかもしれない。例えば、ＵＥ１２０は、ＰＤＳＣＨ中で通信を受信するかもしれない。いくつかの態様では、ＵＥ１２０は、通信を送信するかもしれない。例えば、ＵＥ１２０は、ＰＵＳＣＨ中で通信を送信するかもしれない。いくつかの態様では、ＵＥ１２０は、通信のデータコンフィギュレーションに少なくとも部分的に基づいて、通信に関係する基準信号（例えば、ＤＭＲＳ）を検出または送信してもよい。例えば、通信がスロットベースのデータコンフィギュレーションのものであるとき、ＵＥ１２０は、１つの位置において基準信号を検出または送信してもよく、通信が非スロットベースのデータコンフィギュレーションのものであるとき、ＵＥ１２０は、別の位置において基準信号を検出または送信してもよい。
【０１０２】
［００１１３］
上述のように、図１０は例として提供されている。他の例も可能であり、他の例は、図１０に関して説明したものとは異なっていてもよい。
【０１０３】
［００１１４］
図１１は、本開示のさまざまな態様にしたがう、例えば、ＵＥにより実行される例示的なプロセス１１００を示す図である。例示的なプロセス１１００は、ＵＥ（例えば、ＵＥ１２０）が、制御情報および／または通信のために、スロットベースおよび非スロットベースの制御およびデータのコンフィギュレーションの決定を実行する例である。
【０１０４】
［００１１５］
図１１に示すように、いくつかの態様では、プロセス１１００は、通信に対する制御情報を受信することを含んでいてもよい（ブロック１１１０）。例えば、（例えば、アンテナ２５２、ＤＥＭＯＤ２５４、ＭＩＭＯ検出器２５６、受信プロセッサ２５８、制御装置／プロセッサ２８０、および／または、これらに類するものを使用する）ＵＥは、通信に対する制御情報を受信してもよい。いくつかの態様では、ＵＥは、（例えば、制御情報が、スロットベースの制御コンフィギュレーションまたは非スロットベースの制御コンフィギュレーションのものであるとき）スロットのＤＬ制御部分中で制御情報を受信してもよい。いくつかの態様では、ＵＥは、（例えば、制御情報が、非スロットベースの制御コンフィギュレーションのものであるとき）スロットのデータ部分中で制御情報を受信してもよい。
【０１０５】
［００１１６］
図１１に示すように、いくつかの態様では、プロセス１１００は、制御情報に少なくとも部分的に基づいて、制御情報がスロットベースの制御コンフィギュレーションまたは非スロットベースの制御コンフィギュレーションに関係するか否かを決定することを含んでいてもよい（ブロック１１２０）。例えば、（例えば、制御装置／プロセッサ２８０および／またはこれらに類するものを使用する）ＵＥは、制御情報がスロットベースの制御コンフィギュレーションまたは非スロットベースの制御コンフィギュレーションに関係するか否かを決定してもよい。制御情報の制御コンフィギュレーションの決定は、上記で図１０に関連してより詳細に説明している。
【０１０６】
［００１１７］
図１１に示すように、いくつかの態様では、プロセス１１００は、通信がスロットベースのデータコンフィギュレーションまたは非スロットベースのデータコンフィギュレーションに関係するか否かを決定することを含んでいてもよい（ブロック１１３０）。例えば、（例えば、制御装置／プロセッサ２８０および／またはこれらに類するものを使用する）ＵＥは、上記でより詳細に説明したように、制御情報に関係する通信がスロットベースのデータコンフィギュレーションまたは非スロットベースのデータコンフィギュレーションに関係するか否かを決定してもよい。これは、ＵＥが、通信の基準信号（例えば、ＤＭＲＳ）がいつ送信または受信されるべきであるかを決定することを可能にするかもしれない。
【０１０７】
［００１１８］
プロセス１１００は、追加の態様、例えば、以下で説明する、および／または、本明細書の他の場所で説明する１つ以上の他のプロセスに関連する態様の任意の単一の態様または任意の組み合わせを含んでいてもよい。
【０１０８】
［００１１９］
いくつかの態様では、制御情報がスロットベースの制御コンフィギュレーションまたは非スロットベースの制御コンフィギュレーションに関係するか否かを決定することは、制御情報のダウンリンク制御情報（ＤＣＩ）フォーマットに少なくとも部分的に基づいている。いくつかの態様では、制御情報がスロットベースの制御コンフィギュレーションまたは非スロットベースの制御コンフィギュレーションに関係するか否かを決定することは、制御情報中の明示的な表示に少なくとも部分的に基づいている。
【０１０９】
［００１２０］
いくつかの態様では、制御情報がスロットベースの制御コンフィギュレーションまたは非スロットベースの制御コンフィギュレーションに関係するか否かを決定することは、制御情報が受信されるべきサーチ空間に関係する監視機会に少なくとも部分的に基づいている。いくつかの態様では、スロットベースの制御コンフィギュレーションに対するサーチ空間のためのブラインドデコード候補と、非スロットベースの制御コンフィギュレーションに対するサーチ空間のためのブラインドデコード候補とが同一であるとき、ブラインドデコード候補のうちの構成された１つが、デコードのために優先される。
【０１１０】
［００１２１］
いくつかの態様では、通信がスロットベースのデータコンフィギュレーションまたは非スロットベースのデータコンフィギュレーションに関係するか否かを決定することは、ＵＥの無線リソース制御コンフィギュレーション、制御リソースセットコンフィギュレーション、または、サーチ空間コンフィギュレーションに少なくとも部分的に基づいている。いくつかの態様では、通信がスロットベースのデータコンフィギュレーションまたは非スロットベースのデータコンフィギュレーションに関係するか否かを決定することは、制御情報がスロットベースの制御コンフィギュレーションまたは非スロットベースの制御コンフィギュレーションに関係するか否かに少なくとも部分的に基づいている。いくつかの態様では、制御情報が非スロットベースの制御コンフィギュレーションに関係するとき、通信は、非スロットベースのデータコンフィギュレーションに関係する。
【０１１１】
［００１２２］
いくつかの態様では、通信がスロットベースのデータコンフィギュレーションまたは非スロットベースのデータコンフィギュレーションに関係するか否かを決定することは、制御情報のダウンリンク制御情報（ＤＣＩ）フォーマットに少なくとも部分的に基づいている。いくつかの態様では、通信がスロットベースのデータコンフィギュレーションまたは非スロットベースのデータコンフィギュレーションに関係するか否かを決定することは、ダウンリンク制御情報（ＤＣＩ）中の表示に少なくとも部分的に基づいている。いくつかの態様では、通信がスロットベースのデータコンフィギュレーションまたは非スロットベースのデータコンフィギュレーションに関係するか否かを決定することは、制御情報中の明示的な表示に少なくとも部分的に基づいている。いくつかの態様では、スロットベースのデータコンフィギュレーションは、基準信号の第１のタイプまたは位置に関係し、非スロットベースのデータコンフィギュレーションは、基準信号の第２のタイプまたは位置に関係する。いくつかの態様では、スロットベースの制御コンフィギュレーションは、スロットのダウンリンク制御領域中で生じる制御リソースセット中に提供され、非スロットベースの制御コンフィギュレーションは、スロットの任意の領域中で生じる制御リソースセット中に提供される。
【０１１２】
［００１２３］
図１１は、プロセス１１００の例示的なブロックを示しているが、いくつかの態様では、プロセス１１００は、図１１に示すブロック以外の、追加のブロック、より少ないブロック、異なるブロック、または異なる配置のブロックを含んでいてもよい。追加的にまたは代替的に、プロセス１１００のブロックのうちの２つ以上のものを、並列に実行してもよい。
【０１１３】
［００１２４］
前述の開示は、例示および説明を提供しているが、網羅的であること、または、本態様を開示された厳密な形態に限定することを意図したものではない。上記開示の観点から修正または変形も可能であり、態様の実施から修正または変形を獲得してもよい。
【０１１４】
［００１２５］
ここで使用されるように、コンポーネントという用語は、ハードウェア、ファームウェア、または、ハードウェアとソフトウェアの組み合わせとして広く解釈されることが意図されている。ここで使用されるように、プロセッサは、ハードウェア、ファームウェア、または、ハードウェアとソフトウェアの組み合わせで実現される。
【０１１５】
［００１２６］
いくつかの態様を、しきい値に関連してここで説明する。ここで使用されるように、しきい値を満たすことは、値が、しきい値より大きい、しきい値以上、しきい値未満、しきい値以下、しきい値に等しい、しきい値に等しくない、および／または、これらに類するものを指しているかもしれない。
【０１１６】
［００１２７］
ここで説明するシステムおよび／または方法は、異なる形態のハードウェア、ファームウェア、または、ハードウェアおよびソフトウェアの組み合わせで実現してもよいことは明らかであろう。これらのシステムおよび／または方法を実現するために使用される実際の特殊化されている制御ハードウェアまたはソフトウェアコードは、これらの態様を限定するものではない。したがって、システムおよび／または方法の動作および挙動は、特定のソフトウェアコードを参照することなくここで説明するが、ソフトウェアおよびハードウェアは、ここでの説明に少なくとも部分的に基づいて、システムおよび／または方法を実現するように設計されていてもよいことが理解される。
【０１１７】
［００１２８］
特徴の特定の組み合わせが特許請求の範囲に記載され、および／または、明細書に開示されているとしても、これらの組み合わせは、可能な態様の開示を限定することを意図していない。実際、これらの特徴の多くは、特許請求の範囲において具体的に記載されておらず、および／または、本明細書において開示されていない方法で組み合わされてもよい。以下に列挙される各従属請求項は、１つの請求項のみに直接従属しているかもしれないが、可能な態様の開示は、請求項セット中の他のすべての請求項と組み合わせた、各従属請求項を含んでいる。項目のリスト「のうちの少なくとも１つ」を指す句は、単一のメンバーを含む、これらの項目の任意の組み合わせを指す。例として、「ａ、ｂ、または、ｃのうちの少なくとも１つ」は、ａ、ｂ、ｃ、ａ−ｂ、ａ−ｃ、ｂ−ｃ、および、ａ−ｂ−ｃ、ならびに、同じ要素の倍数を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、および、ｃ−ｃ−ｃ、または、他の任意の順序のａ、ｂ、および、ｃ）をカバーすることが意図されている。
【０１１８】
［００１２９］
ここで使用される要素、行為、または、命令は、そのように明示的に記載されていない限り、重要または必須であると解釈されるべきでない。また、ここで使用される場合、冠詞「ａ」および「ａｎ」は、１つ以上の項目を含むことを意図しており、「１つ以上」と互換的に使用されているかもしれない。さらに、ここで使用される場合、「セット」および「グループ」という用語は、１つ以上の項目（例えば、関連項目、無関係項目、関連項目および無関係項目の組み合わせなど）を含むことが意図され、「１つ以上」と互換的に使用されているかもしれない。ただ１つの項目が意図されている場合、「１つの」の用語またはこれに類する言語が使用されている。また、ここで使用される場合、「有する（ｈａｓ）」、「有する（ｈａｖｅ）」、「有する（ｈａｖｉｎｇ）」、および／または、これらに類するもの用語は、オープンエンドの用語であることが意図されている。さらに、「に基づく」という句は、別段の明示がない限り、「少なくとも部分的に基づいて」を意味することを意図している。
【図１】
2021503798.tif 000003
【図２】
2021503798.tif 000004
【図３Ａ】
2021503798.tif 000005
【図３Ｂ】
2021503798.tif 000006
【図４】
2021503798.tif 000007
【図５】
2021503798.tif 000008
【図６】
2021503798.tif 000009
【図７】
2021503798.tif 000010
【図８】
2021503798.tif 000011
【図９Ａ】
2021503798.tif 000012
【図９Ｂ】
2021503798.tif 000013
【図１０】
2021503798.tif 000014
【図１１】
2021503798.tif 000015
【国際調査報告】
2021503798.tif 000016
2021503798.tif 000017
2021503798.tif 000018